(57)【特許請求の範囲】
【請求項１】
原汚水を第一室（Ａ）に導き入れ、その第一室（Ａ）の低層部へ空気を継続注入することによってその室内汚水の全体を常時混濁状態に攪拌してその室内の表層スカムの発生を抑え、
その第一室（Ａ）への原汚水流入による水位変動により攪拌混濁した汚水をその室内低部に設けた汚水流出孔（２）から粗目濾しして上部が閉じられた第二室（Ｂ）に逃がし、
その第二室（Ｂ）ではその汚水を安静状態にすることによってその室内の前記流出孔（２）に向かって形成された擂鉢状底部に重量汚泥分を沈殿させ、
さらに、その第二室（Ｂ）へ流入する汚水の水位変動によりその室内の透明度の上がった汚水を汚水処理槽（９）に排出し、
その汚水処理槽（９）へ空気を継続して注入することによってその汚水処理槽（９）の汚水上層を常時攪拌して表面スカムの発生を抑えることを特徴とするスカム解消型汚水処理方法。
【請求項２】
原汚水を第一室（Ａ）に導き入れ、その第一室（Ａ）の低層部へ空気を継続注入することによってその室内汚水の全体を常時混濁状態に攪拌してその室内の表層スカムの発生を抑え、
その第一室（Ａ）への原汚水流入による水位変動により攪拌混濁した汚水をその室内低部に設けた汚水流出孔（２）から粗目濾しして上部が閉じられた第二室（Ｂ）に逃がし、
その第二室（Ｂ）ではその汚水を安静状態にすることによってその室内の前記流出孔（２）に向かって形成された擂鉢状底部に重量汚泥分を沈殿させ、
さらに、その第二室（Ｂ）へ流入する汚水の水位変動によりその室内の透明度の上がった汚水を次ぎの第一室（Ａ）に導き入れ、その流入汚水を第一室（Ａ）の低層部へ空気を継続注入することによってその室内汚水の全体を常時混濁状態に攪拌してその室内の表層スカムの発生を抑え、
その第一室（Ａ）への原汚水流入による水位変動により攪拌混濁した汚水をその室内低部に設けた汚水流出孔（２２）から粗目濾しして第二室（Ｂ）に逃がし、
その第二室（Ｂ）ではその汚水を安静状態にすることによってその室内の擂鉢状底部に重量汚泥分を沈殿させ、そのまま又は前記第一室（Ａ）と前記第二室（Ｂ）の処理を繰り返し、
最後の第二室（Ｂ）へ流入する汚水の水位変動によりその室内の透明度の上がった汚水を汚水処理槽（９）に排出し、
その汚水処理槽（９）へ空気を継続して注入することによってその汚水処理槽（９）の汚水上層を常時攪拌して表面スカムの発生を抑えることを特徴とするスカム解消型汚水処理方法。
【請求項３】
上端部（１ａ）が開き且つ下部周壁面（１ｂ）に多数の流出孔（２）を有し、上端部（１ａ）寄りには原汚水管（３）を接続した汚水流入口（４）を設けた内縦筒（１）と、
その内筒（１）を囲い且つ上端部（５ａ）が内縦筒（１）の開口の下部で閉じ、また下端部（５ｂ）が擂鉢状に閉じ、その上端部（５ａ）寄りには外に開く汚水流出口（６）を設けた外縦筒（５）と、
前記内縦筒（１）の上端部（１ａ）から底部（１ｃ）近くに差し込まれた送風機（７）付の送気管（８）と、
から成るユニット（Ｕ）を、汚水処理槽（９）の隣に設置し、
前記汚水処理槽（９）内の中層に微生物担体（１１）を埋設するとともに、送風機（７）付の送気管（８）を前記汚水処理槽（９）内の低層に開口部するように設け、
前記ユニット（Ｕ）の汚水流出口（６）を前記汚水処理槽（９）の液面より上部に送水管（１０）を介して接続して成り、
原汚水管（３）から流入した汚水をユニット（Ｕ）で処理してから汚水処理槽（９）に導くことによって汚水処理槽（９）の汚水表面にスカムを発生させないようにしたことを特徴とする請求項１に記載の方法を実施するためのスカム解消型汚水処理装置。
【請求項４】
上端部（１ａ）が開き且つ下部周壁面（１ｂ）に多数の流出孔（２）を有し、上端部（１ａ）寄りには原汚水管（３）を接続した汚水流入口（４）を設けた内縦筒（１）と、
その内縦筒（１）を囲い且つ上端部（５ａ）が内縦筒（１）の開口の下部で閉じ、また下端部（５ｂ）が擂鉢状に閉じ、その上端部（５ａ）寄りには外に開く汚水流出口（６）を設けた外縦筒（５）と、
前記内縦筒（１）の上端部（１ａ）から底部（１ｃ）近くに差し込まれた送風機（７）付の送気管（８）とから成るユニット（Ｕ）と、
上端部（２１ａ）が開き且つ下部周壁面（２１ｂ）に多数の流出孔（２２）を有し、上端部（２１ａ）寄りには送水管（２３）を接続した汚水流入口（２４）を設けた内縦筒（２１）と、
その内縦筒（２１）を囲い且つ上端部（２５ａ）が内縦筒（２１）の開口の下部で閉じ、また下端部（２５ｂ）が擂鉢状に閉じ、その上端部（２５ａ）寄りには外に開く汚水流出口（２６）を設けた外縦筒（２５）と、
前記内縦筒（２１）の上端部（２１ａ）から底部（２１ｃ）近くに差し込まれた送風機（２７）付の送気管（２８）とから成る中間ユニット（Ｎ）の単数又は前記汚水流出口（２６）に次ぎの汚水流入口（２４）を送水管（２３）を介して接続した複数個を、
前記ユニット（Ｕ）の汚水流出口（６）に最初の中間ユニット（Ｎ）の汚水流入口（２４）を接続し、
前記ユニット（Ｕ）及び中間ユニット（Ｎ）を汚水処理槽（９）の隣に設置し、
前記汚水処理槽（９）内の中層に微生物担体（１１）を埋設するとともに、送風機（７）付の送気管（８）を前記汚水処理槽（９）内の低層に開口部するように設け、
最後の前記中間ユニット（Ｎ）の汚水流出口（２６）を前記汚水処理槽（９）の液面より上部に送水管（２０）を介して接続して成り、
原汚水管（３）から流入した汚水をユニット（Ｕ）及びそれに続く単数又は連結された複数個の中間ユニット（Ｎ）で処理してから汚水処理槽（９）に導くことによって汚水処理槽（９）の汚水表面にスカムを発生させないようにしたことを特徴とする請求項２に記載の方法を実施するためのスカム解消型汚水処理装置。
【発明の詳細な説明】
【０００１】
【発明が属する技術分野】
本発明は、家庭用水洗便所から排出される糞尿などの汚水を浄化処理するための方法と、その方法を実施するための汚水処理装置に関する。
【０００２】
【従来の技術】
家庭用の水洗便所から排出される糞尿は、都市部では下水管を通じて大規模な下水処理場に送られて一定基準にまで浄化処理されてから河川などに放流されている。
また、過疎地域では集落ごとに浄化合併槽を設けて処理することが促進され、各地で改良工事が行われている。
しかし、長距離の汚水管の敷設と大型化された合併槽の設備には多額の費用を要し、自治体や住民は新たな負担を避けたいために計画どおりに工事が進んでいる地域は少ない。
【０００３】
一般に環境汚染物質の対策としては、集末処理ではなく汚染源において処理することが理想的とされている。
汚水発生源である個別住宅での処理の方法としては、浸透桝方式や個別浄化槽方式などがあるが、設備の設置スペースが確保できない場合や不完全な設備をしたために、充分な処理が行われずに河川への放出が行われていることも多く見られる。
【０００４】
また、充分に処理がなされたとしても、処理機能を維持するためには汚水槽の水面に発生する比重の軽い油脂分などからなる塊（スカム）の除去処理や沈殿汚泥の引き抜き処理を定期的に行わなければならず、その処理に要する手間や費用の負担も大きいものがある。
【０００５】
特に、これまではスカムからくる悪臭は、消臭剤などで消臭する方法がなされたとしても、発生する量が大きく且つ継続して発生するために容易に防止することができなかった。
また、スカムには蝿などの昆虫の幼虫である蛆虫が発生し、そのままでは不衛生なので殺虫剤で退治するなどの処理をしていた。
【０００６】
【発明が解決しようとする課題】
本発明は、上記実情に鑑みてなされたもので、主として個別家庭用に設置される汚水槽において、その水面に汚物が浮上して形成蓄積されるスカムの発生を解消するとともに汚水を浄化して清浄な処理水を得るためのスカム解消型汚水処理方法とその方法を実施するための処理装置を提供するものである。
【０００７】
【課題を解決するための手段】
上記課題を解決するための本発明は、スカム解消型汚水処理方法とその方法を実施するためのスカム解消型汚水処理装置である。
【０００８】
その汚水処理方法は、一回方式と複数繰り返し方式とがある。
【０００９】
まず、一回方式の汚水処理方法について説明する。
この汚水処理方法については、原汚水を第一室Ａに導き入れ、その第一室Ａの低層部へ空気を継続注入することによってその室内汚水の全体を常時混濁状態に攪拌してその室内の表層スカムの発生を抑え、その第一室Ａへの原汚水流入による水位変動により攪拌混濁した汚水をその室内低部に設けた汚水流出孔２から粗目濾しして上部が閉じられた第二室Ｂに逃がし、その第二室Ｂではその汚水を安静状態にすることによってその前記流出孔２に向かって形成された室内の擂鉢状底部に重量汚泥分を沈殿させる。
さらに、その第二室Ｂへ流入する汚水の水位変動によりその室内の透明度の上がった汚水を汚水処理槽９に排出させる。
そして、その汚水処理槽９へ空気を継続して注入することによってその汚水処理槽９の汚水上層を常時攪拌して表面スカムの発生を抑えることを特徴に構成される。
【００１０】
次に複数繰り返し方式の汚水処理方法について説明する。
この汚水処理方法は、原汚水を第一室Ａに導き入れ、その第一室Ａの低層部へ空気を継続注入することによってその室内汚水の全体を常時混濁状態に攪拌してその室内の表層スカムの発生を抑え、その第一室Ａへの原汚水流入    による水位変動により攪拌混濁した汚水をその室内低部に設けた汚水流出孔２から粗目濾しして上部が閉じられた第二室Ｂに逃がする。
その第二室Ｂではその汚水を安静状態にすることによってその室内の前記流出孔２に向かって形成された擂鉢状底部に重量汚泥分を沈殿させる。
【００１１】
さらに、その第二室Ｂへ流入する汚水の水位変動によりその室内の透明度の上がった汚水を次ぎの第一室Ａに導き入れ、その流入汚水を第一室Ａの低層部へ空気を継続注入することによってその室内汚水の全体を常時混濁状態に攪拌してその室内の表層スカムの発生を抑え、その第一室Ａへの原汚水流入による水位変動により攪拌混濁した汚水をその室内低部に設けた汚水流出孔２２から粗目濾しして第二室Ｂに逃がす。
その第二室Ｂではその汚水を安静状態にすることによってその室内の擂鉢状底部に重量汚泥分を沈殿させ、そのまま又は前記第一室Ａと前記第二室Ｂの処理を繰り返す。
【００１２】
最後の第二室Ｂへ流入する汚水の水位変動によりその室内の透明度の上がった汚水を汚水処理槽９に排出する。
そして、その汚水処理槽９へ空気を継続して注入することによってその汚水処理槽９の汚水上層を常時攪拌して表面スカムの発生を抑えることを特徴に構成される。
【００１３】
また、上記スカム解消型汚水処理方法を実施するためのスカム解消型汚水処理装置は、ユニットを単数用いる形態と複数用いる形態とがある。
【００１４】
まず、ユニットを単数用いる汚水処理装置の形態はについて説明する。
この装置の形態は、上端部１ａが開き且つ下部周壁面１ｂに多数の流出孔２を有し、上端部１ａ寄りには原汚水管３を接続した汚水流入口４を設けた内縦筒１と、その内縦筒１を囲い且つ上端部５ａが内縦筒１の開口の下部で閉じ、また下端部５ｂが擂鉢状に閉じ、その上端部５ａ寄りには外に開く汚水流出口６を設けた外縦筒５と、前記内縦筒１の上端部１ａから底部１ｃ近くに差し込まれた送風機７付の送気管８とでユニットＵを構成する。
そして、このユニットＵを汚水処理槽９の隣に設置する。
【００１５】
そして、前記汚水処理槽９内の中層に微生物担体１１を埋設するとともに、送風機７付の送気管１２を前記汚水処理槽９内の低層に開口部１２ａが至るように設け、前記ユニットＵの汚水流出口６を前記汚水処理槽９の液面より上部に送水管１０を介して接続して構成される。
【００１６】
そして、原汚水管３から流入した汚水をユニットＵで処理してから汚水処理槽９に導くことによって汚水処理槽９の汚水表面にスカムを発生させないようにする。
【００１７】
次にユニットを複数用いる汚水処理装置の形態について説明する。
この装置の形態は、上端部１ａが開き且つ下部周壁面１ｂに多数の流出孔２を有し、上端部１ａ寄りには原汚水管３を接続した汚水流入口４を設けた内縦筒１と、その内縦筒１を囲い且つ上端部５ａが内縦筒１の開口の下部で閉じ、また下端部５ｂが擂鉢状に閉じ、その上端部５ａ寄りには外に開く汚水流出口６を設けた外縦筒５と、前記内縦筒１の上端部１ａから底部１ｃ近くに差し込まれた送風機７付の送気管８とでユニットＵを構成する。
【００１８】
また、上端部２１ａが開き且つ下部周壁面２１ｂに多数の流出孔２２を有し、上端部２１ａ寄りには送水管２３を接続した汚水流入口２４を設けた内縦筒２１と、その内縦筒２１を囲い且つ上端部２５ａが内縦筒２１の開口の下部で閉じ、また下端部２５ｂが擂鉢状に閉じ、その上端部２５ａ寄りには外に開く汚水流出口２６を設けた外縦筒２５と、前記内縦筒２１の上端部２１ａから底部２１ｃ近くに差し込まれた送風機２７付の送気管２８とで中間ユニットＮを構成する。
そして、その中間ユニットＮの単数又は前記汚水流出口２６に次ぎの汚水流入口２４を送水管２３を介して接続した複数個を、前記ユニットＵの汚水流出口６に最初の中間ユニットＮの汚水流入口２４を接続する。
【００１９】
そして、前記ユニットＵ及び中間ユニットＮを汚水処理槽９の隣に設置する。
また、前記汚水処理槽９内の中層に微生物担体１１を埋設するとともに、送風機７付の送気管１２を前記汚水処理槽９内の低層に開口部１２ａが至るように設ける。
そして、最後の前記中間ユニットＮの汚水流出口２６を前記汚水処理槽９の液面より上部に送水管２０を介して接続して構成する。
【００２０】
そして、原汚水管３から流入した汚水をユニットＵ及びそれに続く単数又は連結された複数個の中間ユニットＮで処理してから汚水処理槽９に導くことによって汚水処理槽９の汚水表面にスカムを発生させないようにする。
【００２１】
【発明の実施の形態】
本発明のスカム解消型汚水処理方法及びその方法を実施するためのスカム解消型汚水処理装置について、その実施の形態を図の実施例に基づいて以下詳しく説明する。
【００２２】
まず、スカム解消型汚水処理方法について説明する。
【００２３】
その処理方法は、一回方式と複数繰り返し方式とがある。
【００２４】
まず、一回方式については、図１のフロー図に示すように、原汚水を第一室Ａに導き入れ、その第一室Ａの低層部へ空気を継続注入することによってその室内汚水の全体を常時混濁状態に攪拌してその室内の表層スカムの発生を抑える。
そして、その第一室Ａへの原汚水流入による水位変動により攪拌混濁した汚水をその室内低部に設けた汚水流出孔２から粗目濾しして第二室Ｂに逃がし、
その第二室Ｂではその汚水を安静状態にすることによってその室内の擂鉢状底部に重量汚泥分を沈殿させる。
【００２５】
さらに、その第二室Ｂへ流入する汚水の水位変動によりその室内の透明度の上がった汚水を一般的に使用されている汚水処理槽９に排出する。
その汚水処理槽９へ空気を継続して注入することによってその汚水処理槽９の汚水上層を常時攪拌して表面スカムの発生を抑える。
【００２６】
次に複数繰り返し方式については、図２のフロー図に示すように、原汚水を第一室Ａに導き入れ、その第一室Ａの低層部へ空気を継続注入することによってその室内汚水の全体を常時混濁状態に攪拌してその室内の表層スカムの発生を抑え、
その第一室Ａへの原汚水流入による水位変動により攪拌混濁した汚水をその室内低部に設けた汚水流出孔２から粗目濾しして第二室Ｂに逃がす。
その第二室Ｂではその汚水を安静状態にすることによってその室内の擂鉢状底部に重量汚泥分を沈殿させる。
【００２７】
さらに、その第二室Ｂへ流入する汚水の水位変動によりその室内の透明度の上がった汚水を次ぎの第一室Ａに導き入れ、その流入汚水を第一室Ａの低層部へ空気を継続注入することによってその室内汚水の全体を常時混濁状態に攪拌してその室内の表層スカムの発生を抑える。
【００２８】
その第一室Ａへの原汚水流入による水位変動により攪拌混濁した汚水をその室内低部に設けた汚水流出孔２２から粗目濾しして第二室Ｂに逃がす。
その第二室Ｂではその汚水を安静状態にすることによってその室内の擂鉢状底部に重量汚泥分を沈殿させ、そのまま又は前記第一室Ａと前記第二室Ｂの処理を繰り返えす。
【００２９】
最後の第二室Ｂへ流入する汚水の水位変動によりその室内の透明度の上がった汚水を一般的に使用されている汚水処理槽９に排出する。
その汚水処理槽９へ空気を継続して注入することによってその汚水処理槽９の汚水上層を常時攪拌して表面スカムの発生を抑える。
【００３０】
また、上記スカム解消型汚水処理方法を実施するためのスカム解消型汚水処理装置は、上記各方法に対応してユニットを単数用いる形態と複数用いる形態とがある。
【００３１】
まず、ユニットを単数用いる装置の形態はについては、図３に示すように、上端部１ａが開き且つ下部周壁面１ｂに多数の流出孔２を有し、上端部１ａ寄りには原汚水管３を接続した汚水流入口４を設けた内縦筒１と、その内縦筒１を囲い且つ上端部５ａが内縦筒１の開口の下部で閉じ、また下端部５ｂが擂鉢状に閉じ、その上端部５ａ寄りには外に開く汚水流出口６を設けた外縦筒５と、前記内縦筒１内の汚水全体攪拌を目的として、前記内縦筒１の上端部１ａから底部１ｃ近くに差し込まれて先端の空気注入口８ａが内縦筒１の底部１ｃに開口した送風機７付の送気管８とでユニットＵを形成する。
【００３２】
したがって、そのユニットＵにおいて、内縦筒１内には第一室Ａが形成され、内縦筒１の周壁面の外側と外縦筒５内には第二室Ｂが形成されることになる。
そして第一室Ａと第二室Ｂとは、前記内縦筒１の下端部周面に設けた網目、スリッド群、小孔群などの多数の流出孔２により連通状態となっている。
【００３３】
そして、そのユニットＵを汚水処理槽９の隣に設置する。
【００３４】
前記汚水処理槽９内の中層に微生物担体１１を埋設するとともに、送風機７付の送気管１２を前記汚水処理槽９内の低層に開口部１２ａが至るように設け、前記ユニットＵの汚水流出口６を前記汚水処理槽９の液面より上部に送水管１０を介して接続する。
【００３５】
前記汚水処理槽９のへの空気注入は、設置した微生物担体１１への酸素補給と、汚水処理槽９内の汚水の表面に浮上してきた固形物を分散し、固形物同士が付着して塊となるのを防止するための汚水上層部に対する攪拌を目的としている。
【００３６】
原汚水管３から流入した汚水をユニットＵで処理してから汚水処理槽９に導くことによって汚水処理槽９の汚水表面にスカムを発生させないようにしたことを特徴とするものである。
【００３７】
次にユニットを複数用いる装置の形態については、図４に示すように、上端部１ａが開き且つ下部周壁面１ｂに多数の流出孔２を有し、上端部１ａ寄りには原汚水管３を接続した汚水流入口４を設けた内縦筒１と、その内縦筒１を囲い且つ上端部５ａが内縦筒１の開口の下部で閉じ、また下端部５ｂが擂鉢状に閉じ、その上端部５ａ寄りには外に開く汚水流出口６を設けた外縦筒５と、前記内縦筒１の上端部１ａから底部１ｃ近くに差し込まれた送風機７付の送気管８とでユニットＵを形成する。
【００３８】
また、上端部２１ａが開き且つ下部周壁面２１ｂに多数の流出孔２２を有し、上端部２１ａ寄りには送水管２３を接続した汚水流入口２４を設けた内縦筒２１と、その内縦筒２１を囲い且つ上端部２５ａが内縦筒２１の開口の下部で閉じ、また下端部２５ｂが擂鉢状に閉じ、その上端部２５ａ寄りには外に開く汚水流出口２６を設けた外縦筒２５と、前記内縦筒２１の上端部２１ａから底部２１ｃ近くに差し込まれた送風機２７付の送気管２８とで中間ユニットＮを形成する。
【００３９】
そして、その中間ユニットＮの単数又は前記汚水流出口２６に次ぎの汚水流入口２４を送水管２３を介して接続した複数個（図５の（イ）はユニットＵと中間ユニットＮを各１個、（ロ）はユニットＵが１個で中間ユニットＮを２個用いたさ態様である）を前記ユニットＵの汚水流出口６に最初の中間ユニットＮの汚水流入口２４を接続する。
そして、前記ユニットＵ及び中間ユニットＮを汚水処理槽９の隣に設置する。
【００４０】
前記汚水処理槽９内の中層に微生物担体１１を埋設するとともに、送風機７付の送気管１２を前記汚水処理槽９内の低層に開口部１２ａが至るように設ける。
最後の前記中間ユニットＮの汚水流出口２６を前記汚水処理槽９の液面より上部に送水管２０を介して接続する。
【００４１】
原汚水管３から流入した汚水をユニットＵ及びそれに続く単数又は連結された複数個の中間ユニットＮで処理してから汚水処理槽９に導くことによって汚水処理槽９の汚水表面にスカムを発生させないようにする。
【００４２】
【作用】
本発明は上記構成であり、その作用を以下説明する。
汚水は内縦筒１内の第一室Ａに流入すると、その室内汚水の低層部へ空気を継続して注入することによって、気泡Ｋによりその汚水の全体が常時混濁状態に攪拌される。
通常では、浮遊物が水面に浮き上がり、膜状になった最表面が乾燥し、さらにその下部面に浮遊物が付着して厚い層を形成して塊（スカム）となるが、本発明では気泡Ｋによる継続攪拌によって浮遊物が内縦筒１内の水面に膜状化できなくなるのでスカム化が起こらなくなる。
【００４３】
その内縦筒１内の第一室Ａへの新たな汚水の流入によってその室内に水位変動が起こり、この変動で、第一室Ａが増水すると混濁汚水がその内縦筒１の第一室Ａの低部に設けた多数の流出孔２、２２を粗目濾しされて通過し、外縦筒５内の第二室Ｂ内に流れ出る。
【００４４】
そして、僅かであるが流入停止後の内縦筒１内の第一室Ａの汚水減少により、第一室Ａが減水するとすると外縦筒５内の第二室Ｂから混濁汚水がその第一室Ａの低部に設けた多数の流出孔２，２２を通過して第一室Ａにその量だけ戻ることになる。
このように、内縦筒１内の第一室Ａと外縦筒５内の第二室Ｂ間に汚水の流れが繰り返される。
【００４５】
その第一室Ａでの攪拌の影響は、流出孔２，２２を介して僅かに受けるが、一内縦筒１の壁面で応仕切られているので、外縦筒５内の第二室Ｂには殆ど攪拌はなされない。このため第二室Ｂ内ではその汚水がやや安静状態となり底部に重量汚泥分が擂鉢状部分に流出孔２，２２に向かって沈殿することになる。
【００４６】
このとき、外縦筒５内の第二室Ｂの低部における擂鉢状部分の状態は、堆積生成される軟質軽量沈殿物層が発生し、流入した汚水はその軟質軽量沈殿物層の下側からその沈殿物層の内部を通過してその上側に流れ出て行く。この際に、汚水の流れ出る圧力で軟質軽量沈殿物層がフアフアと少し浮き上がったり沈んだりしながら、そのままの状態で又はその表層部が噴出する汚水で破裂状態となって浮遊したりしながら上がったり下がったりを繰り返す。
【００４７】
そして、その汚水中の混濁物質は軟質軽量沈殿物層内に取り込まれ処理され、そこから流れ出た軟質軽量沈殿物層上の汚水は透明度が高められた汚水となる。
その汚水は、透明度が高まっていてもＢＯＤ値はまだ高いので、さらに、その第二室Ｂの水位の上昇分が第二室Ｂの前記汚水流出口６、２６から送水管１０、２０を介して次ぎの汚水処理槽９に導き入れられる。
【００４８】
この汚水処理槽９によって、さらに汚水のＢＯＤ値を低減させ排水規定値をクリアーできるまで処理されたら河川などに放水する。
また前記汚水処理槽９内の汚水の中にも多少の固形物の浮遊があり、それが汚水表面に浮上すると固形物同士が付着して膜状化する虞があるので、空気継続注入による気泡Ｋによる攪拌流によってその汚水上層を常時攪拌して固形物同士を分散化させ、表面スカムになるのを抑える。
また、空気継続注入によって微生物担体１１に生息する好気性微生物に酸素が供給されすみやかに汚泥分の分解が促進されることになる。
【００４９】
また、各図に示されているように、汚水流入口２、２４よりも汚水流出口６、２６を低くしたほうが汚水の段階的な流れを作る上からも好ましい。
なお、各図中の二点鎖線は汚水の水位を示すものである。
上記前記汚水処理槽９は、固定型の微生物担体１１が設置されている既存の合併浄化槽がそのまま利用することができる。
また、より処理リ能力を高めるために中間ユニットＮをそして処理規模に応じて複数個連設することができる。
【００５０】
【発明の効果】
本発明は以上のようであり、第一室Ａ内において、糞尿を含む流入汚水は継続攪拌により浮遊物が水面に集合化できなくなるのでスカム化が起こらない。したがってスカムから発生する特有の悪臭やうじ虫などの発生は解消される。
また、汚水が透明になるまで充分に処理がなされるので、さらに浄化処理するにしても後の浄化処理が容易となる。
【００５１】
即ち、本発明により、スカム除去処理のための管理が全く不要となり、また沈殿汚泥の引き抜き処理の回数も大幅に軽減される。このため、その処理に要する手間や費用の負担の削減が可能となる。
また、本発明は、既存の汚水処理槽の隣に組み込み設置することも可能であり、機能が不十分である既存の設備の改善にも大きく寄与することができるようになった。
【図面の簡単な説明】
【図１】本発明の汚水処理方法のフロー図。
【図２】別の形態の汚水処理方法のフロー図。
【図３】汚水処理装置の一部断面斜視図。
【図４】別の形態の汚水処理装置の一部断面斜視図。
【図５】複数ユニットを用いた装置を配置した状態を示す平面図。
【符号の説明】
１    内縦筒
１ａ  内筒の上端部
１ｂ  内筒の下部周壁面
１ｃ  内筒の底部
２    流出孔
３    原汚水管
４    汚水流入口
５    外縦筒
５ａ  外筒の上端部
５ｂ  外筒の下端部
６    汚水流出口
７    送風機
８    送気管
８ａ  送気管の空気注入口
９    汚水処理槽
１０    送水管
１１    微生物担体
１２    送気管
１２ａ  送気管の開口部
２１    内筒
２１ａ  上端部
２１ｂ  下部周壁面
２１ｃ  内筒の底部
２２    流出孔
２３    送水管
２４    汚水流入口
２５    外筒
２５ａ  上端部
２５ｂ  下端部
２６    汚水流出口
２７    送風機
２８    送気管
２８ａ  送気管の空気注入口
２０    送水管
Ｕ    ユニット
Ｎ    中間ユニット
Ａ    第一室
Ｂ    第二室
Ｋ    気泡
【図１】
0004219110.tif 000002
【図２】
0004219110.tif 000003
【図３】
0004219110.tif 000004
【図４】
0004219110.tif 000005
【図５】
0004219110.tif 000006